(57)【要約】【課題】  エイジング工程を実施する時、表示領域と非表示領域間の温度差を小さくしてプラズマディスプレイパネル（ＰＤＰ）の破損とエイジング工程不良を最少化できるプラズマディスプレイパネルを提供する。【解決手段】  本発明のＰＤＰは、互いに対向して配置され、中央部に配置される表示領域、前記表示領域の周縁に沿って配置される非表示領域、及び前記表示領域と非表示領域との間に位置する中間領域が設定される第１及び第２基板と、第１基板に形成されるアドレス電極と、第１基板と第２基板に設定された表示領域と中間領域上に配置されて放電セルを区画する隔壁と、少なくとも前記表示領域上の放電セル内に形成される蛍光体層と、第２基板に形成される表示電極とを含む。この時、前記各放電セルに対応する表示電極の、前記各放電セルの面積に対する面積比率は、前記表示領域より前記中間領域において小さく形成される。【選択図】  図１
2005310788.tif 000002
【特許請求の範囲】
【請求項１】
互いに対向配置され、中央部に配置される表示領域、表示領域の周縁に沿って配置される非表示領域、及び前記表示領域及び非表示領域の間に位置する中間領域
が設定される第１基板及び第２基板、
前記第１基板に並んで形成されるアドレス電極、
前記第１基板及び第２基板に設定された前記表示領域及び中間領域上に配置されて放電セルを区画する隔壁、
少なくとも前記表示領域上の放電セル内に形成される蛍光体層、及び
前記第２基板に前記アドレス電極と交差する方向に形成される表示電極を含み、
前記各放電セルに対応する表示電極の、前記各放電セルの面積に対する面積比率は、前記表示領域におけるより前記中間領域において小さく形成される、プラズマディスプレイパネル。
【請求項２】
前記中間領域上の各放電セルに位置する表示電極の面積が前記表示領域上の各放電セルに位置する表示電極の面積より小さく形成される、請求項１に記載のプラズマディスプレイパネル。
【請求項３】
前記表示電極が、前記各放電セルの外郭部に一対が対応するように形成されるバス電極と、バス電極から各放電セルの中心部に向かって伸びて一対が対向する突出電極と、を含み、
前記中間領域上の各放電セルに位置する突出電極の面積が前記表示領域上の各放電セルに位置する突出電極の面積より小さく形成される、請求項２に記載のプラズマディスプレイパネル。
【請求項４】
前記バス電極の長手方向に沿って測定される突出電極の幅を第１幅とする時、前記中間領域上の各放電セルに位置する突出電極の第１幅が前記表示領域上の各放電セルに位置する突出電極の第１幅より小さく形成される、請求項３に記載のプラズマディスプレイパネル。
【請求項５】
前記各々の放電セルと突出電極が前記アドレス電極の長手方向に沿った長辺と前記バス電極の長手方向に沿った短辺を有して形成される、請求項３に記載のプラズマディスプレイパネル。
【請求項６】
前記突出電極は前記バス電極と連結される後端部がバス電極に向かってその幅が漸進的に狭くなる形状からなり、
前記中間領域上の各放電セルに位置する突出電極の面積が前記表示領域上の各放電セルに位置する突出電極の面積より小さく形成される、請求項２に記載のプラズマディスプレイパネル。
【請求項７】
前記中間領域上の各放電セルに位置する突出電極は、前記バス電極と連結される後端部の幅が前記表示領域上の各放電セルに位置する突出電極の後端部の幅より小さく形成される、請求項６に記載のプラズマディスプレイパネル。
【請求項８】
前記突出電極は一対が互いに対向する対向面の中心に凹部を形成し、
前記中間領域上の各放電セルに位置する突出電極の面積が前記表示領域上の各放電セルに位置する突出電極の面積より小さく形成される、請求項２に記載のプラズマディスプレイパネル。
【請求項９】
前記中間領域上の各放電セルで一対の突出電極が互いに対向する対向面の幅が前記表示領域上の各放電セルで一対の突出電極が互いに対向する対向面の幅より小さく形成される、請求項８に記載のプラズマディスプレイパネル。
【請求項１０】
前記各放電セルに対応する表示電極の、前記各放電セルの面積に対する面積比率は、前記中間領域内で、前記表示領域に隣接する部分におけるより前記非表示領域に隣接する部分においてさらに小さく形成される、請求項１に記載のプラズマディスプレイパネル。
【請求項１１】
前記表示電極は、前記アドレス電極と交差する方向に各放電セルの周縁から長く連なるバス電極と、前記バス電極から各放電セルの中心部に向かって伸びる拡大電極とを含み、
前記中間領域内に位置した前記拡大電極の面積は、前記表示領域に隣接した拡大電極より前記非表示領域に隣接した拡大電極がさらに小さく形成される、請求項１０に記載のプラズマディスプレイパネル。
【請求項１２】
前記中間領域における前記拡大電極の面積は、前記表示領域に隣接した拡大電極から前記非表示領域に隣接した拡大電極まで漸進的に小さくなる、請求項１１に記載のプラズマディスプレイパネル。
【請求項１３】
前記中間領域における前記バス電極と平行な方向に測定された拡大電極の幅は、前記表示領域に隣接した拡大電極から前記非表示領域に隣接した拡大電極まで漸進的に小さくなる、請求項１２に記載のプラズマディスプレイパネル。
【請求項１４】
前記中間領域に位置する放電セルの面積は均一に形成される、請求項１０に記載のプラズマディスプレイパネル。
【請求項１５】
前記表示領域に位置した放電セルの面積より前記中間領域に位置した放電セルの面積がさらに大きく形成される、請求項１に記載のプラズマディスプレイパネル。
【請求項１６】
前記中間領域に位置した放電セルの面積は、前記表示領域に隣接した放電セルにおけるより前記非表示領域に隣接した放電セルにおいてさらに大きく形成される、請求項１５に記載のプラズマディスプレイパネル。
【請求項１７】
前記中間領域における前記放電セルの面積は、前記表示領域に隣接した放電セルから前記非表示領域に隣接した放電セルまで漸進的に大きくなる、請求項１６に記載のプラズマディスプレイパネル。
【請求項１８】
前記中間領域は、前記表示電極の延長方向に沿って前記表示領域に隣接する第１中間領域と、前記表示電極と交差する方向に沿って前記表示領域に隣接する第２中間領域とを含む、請求項１５に記載のプラズマディスプレイパネル。
【請求項１９】
前記第１中間領域では、前記表示電極の延長方向に沿って測定した放電セルの幅が、前記表示領域に隣接した放電セルから前記非表示領域に隣接した放電セルまで漸進的に大きくなる、請求項１８に記載のプラズマディスプレイパネル。
【請求項２０】
前記第２中間領域では、前記表示電極と交差する方向に沿って測定した放電セルの長さが、前記表示領域に隣接した放電セルから前記非表示領域に隣接した放電セルまで漸進的に大きくなる、請求項１８に記載のプラズマディスプレイパネル。
【請求項２１】
前記中間領域上に位置した放電セルでは各放電セルに対応する表示電極の面積が均一に形成される、請求項１５に記載のプラズマディスプレイパネル。
【請求項２２】
前記アドレス電極は前記表示領域に形成される、請求項１に記載のプラズマディスプレイパネル。
【請求項２３】
前記アドレス電極は前記表示領域と前記中間領域に形成される、請求項１に記載のプラズマディスプレイパネル。
【発明の詳細な説明】
【技術分野】
【０００１】
本発明はプラズマディスプレイパネルに係り、より詳しくは放電安定化のためにエイジング工程を実施する時、パネルの破損を防止してエイジング工程での不良を改善できるプラズマディスプレイパネルに関する。
【背景技術】
【０００２】
一般にプラズマディスプレイパネル（以下、便宜上‘ＰＤＰ’と言う）は放電セル内で起こる気体放電による紫外線で蛍光体を励起させて画像を実現する表示装置であって、高解像度の大画面構成が可能で次世代薄形表示装置として脚光を浴びている。
【０００３】
プラズマディスプレイパネルの一般的な構造は３電極面放電形構造である。３電極面放電形構造は同一面上に位置する２つの電極が形成される第１基板と、アドレス電極が形成されて前記基板から所定の距離を有して離隔される第２基板を含み、両基板の間の空間には隔壁が形成されて複数の放電セルを区画する。
【０００４】
両基板には放電セルを備えて実質的な表示が行われる表示領域と、ダミー領域及び端子領域などを含んで実質的な表示に寄与しない非表示領域が設定される。ここで、ダミーとは、正規動作をさせず、主に初期検査、エイジング、緩衝空間形成などに使用する擬似素子をいう。
【０００５】
前記プラズマディスプレイパネルの製造工程は大別して（１）一つの基板にアドレス電極、下部誘電層、隔壁及び蛍光体層を形成する段階、（２）他の一つの基板に表示電極、上部誘電層及びＭｇＯ保護膜を形成する段階、（３）一つの基板及び他の一つの基板を組立てる段階、（４）両基板の間の内部空間を排気して、ここに放電ガスを注入する段階、（５）放電安定化のためのエイジング段階、（６）ＰＤＰにシャーシベース、駆動回路基板及び外部ケースなどを装着する段階を含む。
【０００６】
この中でエイジング工程は、放電セル内部で一定期間放電させて初期の混入不純物などを不活性状態にし、プラズマディスプレイパネルの電気的、光学的特性を安定化させるのにその目的があり、ＭｇＯ保護膜を活性化させ、放電ガスを安定化し、蛍光体層の不純物成分を除去するなどの機能を有する。特にエイジングによってＭｇＯ保護膜の表面を活性化すれば、放電が安定的に起こって蛍光体層が十分な輝度で発光する。したがって、エイジングが十分に行われたＰＤＰは放電電圧と画面輝度を優れた水準に維持することができる。
【０００７】
実際エイジング工程は表示電極を構成する走査電極と維持電極に２０〜５０ｋＨｚ、２００〜３５０Ｖの波形を交互に印加することによって実施され、この時、デューティ比は通常４０〜７０％に設定される。
【発明の開示】
【発明が解決しようとする課題】
【０００８】
しかし、エイジング工程を実施する時には、実際放電セルが備えられて表示が行われる表示領域と、表示領域を囲む非表示領域との間に温度差が発生するため、これによりプラズマディスプレイパネルが破損する問題が発生することがある。
【０００９】
例えば、３０ｋＨｚ、３００Ｖ、６０％のデューティ比を有する波形を表示電極に印加してエイジングを実施すれば、非表示領域の温度は実質的に３０℃と測定される反面、表示領域の温度は実質的に９０℃と測定される。その結果、表示領域と非表示領域の境界面で両領域間の温度差が６０℃に至り、これはプラズマディスプレイパネルの破損の直接的な原因となっている。
【００１０】
本発明は、エイジング工程を実施する時、表示領域と非表示領域の間の温度差を下げて、プラズマディスプレイパネルの破損とエイジング工程不良を最少化することができるプラズマディスプレイパネルを提供することにその目的がある。
【課題を解決するための手段】
【００１１】
本発明によるプラズマディスプレイパネルは、互いに対向配置され、中央部に配置される表示領域と前記表示領域の周縁に沿って配置される非表示領域、及び前記表示領域と非表示領域との間に位置する中間領域が設定される第１及び第２基板と、第１基板に形成されるアドレス電極と、第１基板及び第２基板に設定された表示領域及び中間領域上に配置されて放電セルを区画する隔壁と、少なくとも前記表示領域上の放電セル内に形成される蛍光体層と、第２基板に形成される表示電極とを含む。この時、前記各放電セルに対応する表示電極の、前記各放電セルの面積に対する面積比率は、前記表示領域におけるより前記中間領域において小さく形成される。
【００１２】
本発明の一例によるプラズマディスプレイパネルは、前記中間領域上の各放電セルに位置する表示電極の面積を表示領域上の各放電セルに位置する表示電極の面積より小さく形成できる。
【００１３】
前記表示電極は、各放電セルの外郭部に一対が対応するように形成されるバス電極と、バス電極から各放電セルの中心部に向かって伸びて一対が対向する突出電極と、を含み、中間領域上の各放電セルに位置する突出電極の面積を表示領域上の各放電セルに位置する突出電極の面積より小さく形成できる。
【００１４】
このために、バス電極の長手方向に沿って測定される突出電極の幅を第１幅とする時、中間領域上の各放電セルに位置する突出電極の第１幅を表示領域上の各放電セルに位置する突出電極の第１幅より小さく形成できる。
【００１５】
本発明の他の例によるプラズマディスプレイパネルは、前記各放電セルに対応する表示電極の、前記各放電セルの面積に対する面積比率を、前記中間領域内で、前記表示領域に隣接する部分におけるより前記非表示領域に隣接する部分においてさらに小さく形成できる。
【００１６】
前記表示電極は、前記アドレス電極と交差する方向に各放電セルの周縁から長く連なるバス電極と、前記バス電極から各放電セルの中心部に向かって伸びる拡大電極とを含む。この時、前記中間領域内に位置した前記拡大電極の面積は、前記表示領域に隣接した拡大電極より前記非表示領域に隣接した拡大電極をさらに小さく形成できる。
【００１７】
前記中間領域における前記拡大電極の面積は、前記表示領域に隣接した拡大電極から前記非表示領域に隣接した拡大電極まで漸進的に小さくできる。
【００１８】
前記中間領域における前記バス電極と平行な方向に測定された拡大電極の幅は、前記表示領域に隣接した拡大電極から前記非表示領域に隣接した拡大電極まで漸進的に小さくできる。
【００１９】
この時、前記中間領域に位置する放電セルの面積は均一に形成できる。
【００２０】
前記表示領域に位置した放電セルの面積より前記中間領域に位置した放電セルの面積をさらに大きく形成できる。そして、前記中間領域に位置した放電セルの面積は、前記表示領域に隣接した放電セルにおけるより前記非表示領域に隣接した放電セルにおいてさらに大きく形成することができる。
【００２１】
一方、前記中間領域における前記放電セルの面積は、前記表示領域に隣接した放電セルにおけるより前記非表示領域に隣接した放電セルまで漸進的に大きくできる。
【００２２】
前記中間領域は、前記表示電極の延長方向に沿って前記表示領域に隣接する第１中間領域と、前記表示電極と交差する方向に沿って前記表示領域に隣接する第２中間領域とを含むことができる。
【００２３】
前記第１中間領域では、前記表示電極の延長方向に沿って測定した放電セルの幅が、前記表示領域に隣接した放電セルにおけるより前記非表示領域に隣接した放電セルまで漸進的に大きくでき、前記第２中間領域では、前記表示電極と交差する方向に沿って測定した放電セルの長さが、前記表示領域に隣接した放電セルにおけるより前記非表示領域に隣接した放電セルまで漸進的に大きくできる。
【００２４】
前記中間領域上に位置した放電セルにおいて各放電セルに対応する表示電極の面積を均一に形成できる。
【００２５】
前記アドレス電極は前記表示領域に形成するか、選択的に前記表示領域と前記中間領域に形成することができる。
【００２６】
本発明のさらに他の例によるプラズマディスプレイパネルは、前記突出電極がバス電極と連結される後端部がバス電極に向かってその幅が漸進的に狭くなる形状であってもよく、一対が互いに対向する対向面の中心に凹部を形成できる。
【００２７】
この場合、前記中間領域上の各放電セルに位置する突出電極は、バス電極と連結される後端部の幅を表示領域上の各放電セルに位置する突出電極の後端部の幅より小さく形成でき、中間領域上の各放電セルにおける一対の突出電極が互いに対向する対向面の幅を表示領域上の各放電セルにおける一対の突出電極が互いに対向する対向面の幅より小さく形成できる。
【発明の効果】
【００２８】
本発明によるプラズマディスプレイパネルは、表示領域と非表示領域との間に中間領域を形成することによってエイジング工程時に表示領域と非表示領域との間の激しい温度差を緩和させることができる。したがって、本発明のプラズマディスプレイパネルは、エイジング工程時に発生し得るパネル破損とエイジング不良を抑制し、エイジングが十分に行われるようにしてパネルの電気的、光学的特性を安定化させる効果を有する。
【００２９】
また、アドレス電極を表示領域と共に中間領域に形成することによって、中間領域で発生し得る誤放電を防止することができる。
【発明を実施するための最良の形態】
【００３０】
以下、添付した図面を参照して本発明の好ましい実施形態をより詳細に説明する。
【００３１】
図１は本発明の第１実施形態によるプラズマディスプレイパネルを概略的に示した平面図である。
【００３２】
図１を参照すれば、本発明のプラズマディスプレイパネルは任意の大きさを有する第１基板２（以下、‘背面基板’という）と第２基板４（以下、‘前面基板’という）を所定の間隔をおいて実質的に平行に配置し、これらを接合させることによってプラズマディスプレイパネルの基本外郭を構成している。背面基板２と前面基板４には表示領域６、中間領域８、及び非表示領域１０が設定される。ここで、実質的に平行とは、両基板を近似的に表す２枚の平面間に形成される間隙寸法の変化率が１０％以下の状態をいう。
【００３３】
表示領域６は実質的な表示が行われる領域であって、背面基板２と前面基板４との間の空間は、多数の放電セルが隔壁によって区画される。放電セルの内部には蛍光体層が形成され、放電ガスが注入される。
【００３４】
中間領域８は表示領域６の外郭に形成され、表示領域６と同様に放電セルが形成されるが、実際表示には寄与しない領域である。中間領域８に位置する放電セルは、エイジング工程のための放電セルであって、エイジング工程時に表示領域６と非表示領域１０との温度差を緩和させる役割を果たす。
【００３５】
非表示領域１０は、中間領域８の外郭に形成され、実際表示には寄与しない領域である。非表示領域１０はダミーセルが位置するダミー領域、及びプラズマディスプレイパネル内部の電極と外部端子とを連結する端子領域などを包括する領域である。
【００３６】
図２は本発明の第１実施形態によるプラズマディスプレイパネルにおいて表示領域上の放電セルを示した部分分解斜視図であり、図３は本発明の第１実施形態によるプラズマディスプレイパネルにおいて表示領域と中間領域上の放電セルを示した部分平面図である。
【００３７】
図面を参照すれば、背面基板２の前面基板４対向面には一方向（図面のｙ軸方向）に沿ってアドレス電極１２が形成される。これらアドレス電極１２を覆いながら背面基板２の全面に誘電層１４が形成される。アドレス電極１２は隣接したものと所定の間隔をおいて平行に位置する。
【００３８】
誘電層１４上には多数の放電セル１８，２０を区画する隔壁１６が形成される。一例として、隔壁１６は、アドレス電極１２と平行な方向（図面のｙ軸方向）に沿って形成される第１隔壁部材１６ａと、第１隔壁部材１６ａと交差する方向（図面のｘ軸方向）に沿って形成される第２隔壁部材１６ｂを含む。このような隔壁構造は前述した構造に限らず、アドレス電極と平行な隔壁部材のみからなるストライプ形状の隔壁構造など多様な形状の隔壁構造を本発明に適用でき、これもまた本発明の範囲に属する。
【００３９】
表示領域６に位置する放電セル１８の内部には、赤色、緑色及び青色の蛍光体層２２が必須のものとして備えられ、中間領域８に位置する放電セル２０の内部には、蛍光体層が選択的に備えられる。
【００４０】
前面基板４の背面基板２対向面には、アドレス電極１２と交差する方向（図面のｘ軸方向）に沿って表示電極２８、３４が形成される。表示電極２８は表示領域６上に位置した放電セル１８に対応し、表示電極３４は中間領域８上に位置した放電セル２０に対応する。そして、これら表示電極２８、３４は、それぞれ走査電極２４，３０と維持電極２６，３２からなり、走査電極２４，３０と維持電極２６，３２それぞれは、アドレス電極１２と交差する方向（図面のｘ軸方向）に沿って長く連なって形成されるバス電極２４ｂ、２６ｂ、３０ｂ、３２ｂと、前記バス電極２４ｂ、２６ｂ、３０ｂ、３２ｂから放電セル１８，２０の中心に向かって伸びる突出電極２４ａ、２６ａ、３０ａ、３２ａを含む。
【００４１】
突出電極２４ａ、２６ａ、３０ａ、３２ａは放電セル１８，２０の内部でプラズマ放電を起こす役割をするものであって、開口率を確保するために透明材料であるインジウム錫酸化物（ＩＴＯ）などを含んでなり、バス電極２４ｂ、２６ｂ、３０ｂ、３２ｂはこのような突出電極２４ａ、２６ａ、３０ａ、３２ａの高い抵抗を補償して通電性を確保するためのものであって、不透明の金属材料で構成されても良い。
【００４２】
これら表示電極２８、３４を覆いながら前面基板４の全面に誘電層３６とＭｇＯ保護膜３８が順次に形成される。ＭｇＯ保護膜３８はプラズマ放電時に電離されたイオンの衝突から誘電層３６を保護し、高い二次電子放出係数を有して放電効率を高める役割を果たす。
【００４３】
本発明によるプラズマディスプレイパネルにおいて、各放電セル１８、２０に対応する表示電極２８、３４の面積比率が、表示領域６より中間領域８においてさらに小さく形成される。ここで、放電セル１８、２０及び表示電極２８、３４の面積はパネルの前面から見る時の面積を言う。
【００４４】
図３に示すように、本実施形態によるプラズマディスプレイパネルは、中間領域８上の各放電セル２０に位置する表示電極３４の面積が表示領域６上の各放電セル１８に位置する表示電極２８の面積より小さく形成され、より好ましくは中間領域８上の各放電セル２０に位置する突出電極３０ａ、３２ａの面積が表示領域６上の各放電セル１８に位置する突出電極２４ａ、２６ａの面積より小さく形成される。この時、中間領域８と表示領域６上の放電セル２０、１８の全てにおいて突出電極２４ａ、２６ａ、３０ａ、３２ａ間のギャップは同一である。
【００４５】
表示領域６上の各放電セル１８からバス電極２４ｂ、２６ｂの長手方向（図面のｘ軸方向）に沿って測定される突出電極２４ａ、２６ａの幅をｐ１とし、中間領域８上の各放電セル２０からバス電極３０ｂ、３２ｂの長手方向に沿って測定される突出電極３０ａ、３２ａの幅をｐ２とする時、突出電極２４ａと２６ａ、３０ａと３２ａはｐ１＞ｐ２の条件を満足するように形成される。
【００４６】
前記構成によって、例えば２０〜５０ｋＨｚ、２００〜３５０Ｖ、４０〜７０％のデューティ比（通電率）を有する波形を走査電極２４、３０と維持電極２６、３２に交互に印加してエイジング工程を行えば、表示領域６と中間領域８の全てにおいて突出電極２４ａ、２６ａ、３０ａ、３２ａ間のギャップが同一な大きさを有することによって放電開始電圧に大きな差を示さずに安定な放電開始が行われ、放電電流は突出電極２４ａ、２６ａ、３０ａ、３２ａの面積に比例して流れるので、中間領域８における放電電流は表示領域６における放電電流より小さい値を有する。
【００４７】
このように本実施形態によるプラズマディスプレイパネルはエイジング工程時に表示領域６の温度をＴ１、中間領域８の温度をＴ２、非表示領域１０の温度をＴ３とする時、Ｔ１＞Ｔ２＞Ｔ３の条件を満足し、中間領域８のない従来のプラズマディスプレイパネルと比較する時、表示領域６と非表示領域１０の間の温度差を低くすることができる。従って、本実施形態のプラズマディスプレイパネルはエイジング工程時に表示領域６と非表示領域１０間の激しい温度差を低くすることができ、その結果プラズマディスプレイパネルの破損とエイジング不良を抑制する効果を有する。
【００４８】
図４は本発明の第２実施形態によるプラズマディスプレイパネルにおいて表示領域と中間領域上の放電セルを示した部分平面図である。
【００４９】
図４に示すように、本実施形態によるプラズマディスプレイパネルは各放電セル１８、２０に対応する表示電極２８、３４の面積比率が表示領域６より中間領域８において、より小さく形成される。特に中間領域８内では表示領域６に隣接した部分より前記非表示領域（図１の符号１０参照、以下、同一）に隣接した部分においてさらに小さく形成される。
【００５０】
このために中間領域に位置した放電セル２０は均一な面積を有し、表示電極２８、３４のうちの突出電極２４ａ、２６ａ、３０ａ、３２ａの面積が表示領域６及び中間領域８で互いに異なるように形成され、中間領域８内でも互いに異なるように形成される。
【００５１】
本実施形態では突出電極２４ａ、２６ａ、３０ａ、３２ａの面積を互いに異なるように形成するために、例えば突出電極２４ａ、２６ａ、３０ａ、３２ａの幅を互いに異なるように形成する。ここで、突出電極２４ａ、２６ａ、３０ａ、３２ａの幅は突出電極２４ａ、２６ａ、３０ａ、３２ａをバス電極２４ｂ、２６ｂ、３０ｂ、３２ｂと平行な方向（図面のｘ軸方向）に測定した長さを言う。この時、本発明には突出電極２４ａ、２６ａ、３０ａ、３２ａの幅を異なるように形成する方法以外に、突出電極２４ａ、２６ａ、３０ａ、３２ａの面積を異なるように形成するための多様な方法が適用できて、これもまた本発明の範囲に属する。
【００５２】
つまり、本実施形態では各放電セル１８、２０に対応する突出電極２４ａ、２６ａ、３０ａ、３２ａはｔ１値よりｔ２、ｔ３値が小さく、ｔ２値よりｔ３値がさらに小さい条件を満足する。ここで、ｔ１は表示領域６上の放電セル１８に対応する突出電極２４ａ、２６ａの幅である。そして、ｔ２は表示領域６に隣接した中間領域８に位置する放電セル２０に対応する突出電極３０ａ、３２ａの幅であり、ｔ３は非表示領域１０に隣接した中間領域８に位置する放電セル２０に対応する突出電極３０ａ、３２ａの幅である。
【００５３】
図面及び明細書では理解を助けるために中間領域に位置した放電セルの一部のみを示して説明したが、本発明によるプラズマディスプレイパネルは、図示された場所より中間領域内側では放電セルが出す熱がさらに多くなることがあって、この時にも放電セルに対応する突出電極の幅が表示領域に隣接した中間領域から非表示領域に隣接した中間領域に向かって漸進的に小さくなってもよい。
【００５４】
したがって、表示領域６に位置する突出電極２４ａ、２６ａから非表示領域１０に隣接した中間領域８に位置する突出電極３０ａ、３２ａまで突出電極の面積が漸進的に小さくなる。放電電流は突出電極２４ａ、２６ａ、３０ａ、３２ａの面積に比例して流れるので、表示領域６から非表示領域１０に隣接した中間領域８まで突出電極２４ａ、２６ａ、３０ａ、３２ａに流れる電流が漸進的に減少されるようになる。
【００５５】
そのために、エイジング工程時に中間領域８では表示領域６に隣接した部分から非表示領域１０に隣接した部分まで温度が漸進的に減少する。その結果、表示領域６と非表示領域１０との間の激しい温度差が抑制され、エイジング不良及びプラズマディスプレイパネルの破損を効果的に抑制することができる。
【００５６】
図５は本発明の第３実施形態によるプラズマディスプレイパネルの表示領域と中間領域を示した部分平面図である。
【００５７】
本実施形態で、表示電極４４は表示領域６上に位置した放電セル５２に対応し、表示電極５０は中間領域８上に位置した放電セル５４に対応する。表示電極４４、５０は走査電極４０、４６と維持電極４２、４８を含み、走査電極４０、４６と維持電極４２、４８それぞれはアドレス電極１２と交差する方向に沿って長く連なって形成されるバス電極４０ｂ、４２ｂ、４６ｂ、４８ｂと、前記バス電極４０ｂ、４２ｂ、４６ｂ、４８ｂから放電セル５２、５４の中心に向かって伸びる拡大電極４０ａ、４２ａ、４６ａ、４８ａを含む。
【００５８】
拡大電極４０ａ、４２ａ、４６ａ、４８ａは放電セル５２、５４の内部でプラズマ放電を起こす役割を果たすものであって、開口率を確保するために透明材料であるインジウム錫酸化物（ＩＴＯ）などを含んでなり、バス電極４０ｂ、４２ｂ、４６ｂ、４８ｂはこのような拡大電極４０ａ、４２ａ、４６ａ、４８ａの高い抵抗を補償して通電性を確保するためのもので、不透明の金属電極を使用しても良い。
【００５９】
本実施形態では中間領域８上で各放電セル５４に対応する表示電極５０の面積は互いに同一に形成され、放電セル５２、５４の面積が表示領域６より中間領域８においてより大きく形成され、中間領域８内でも表示領域６に隣接した部分より非表示領域１０に隣接した部分においてさらに大きく形成される。
【００６０】
このために本実施形態では放電セル５２、５４の幅または長さを異なるように形成する。この時、放電セル５２、５４の幅は放電セル５２、５４を表示電極４４、５０の長手方向（図面のｘ軸方向）に測定した長さである。そして、放電セル５２、５４の長さは放電セル５２、５４を表示電極４４、５０と交差する方向（図面のｙ軸方向）に沿って測定した長さである。
【００６１】
本実施形態における中間領域８は前記表示領域６、前記表示電極と平行な方向（図面のｘ軸方向）に隣接する第１中間領域８ａ、前記表示領域６と前記表示電極に交差する方向に隣接する第２中間領域８ｂを含む。
【００６２】
この時、本実施形態の表示領域６及び第１中間領域８ａではｗ１値よりｗ２、ｗ３値が大きく、ｗ２値よりｗ３値がさらに大きい条件を満足する。ここで、ｗ１は表示領域６に位置した放電セル５２の幅である。そして、ｗ２は表示領域６に隣接する第１中間領域８ａに位置した放電セル５４の幅であり、ｗ３は非表示領域１０に隣接する第１中間領域８ａに位置した放電セル５４の幅である。
【００６３】
また、本実施形態におけるｌ１値よりｌ２、ｌ３値が大きく、ｌ２値よりｌ３値がさらに大きい条件を満足する。ここでｌ１は表示領域６に位置した放電セル５２の長さであり、ｌ２は表示領域６に隣接する第２中間領域８ｂに位置した放電セル５４の長さであり、ｌ３は非表示領域１０に隣接する第２中間領域８ｂに位置した放電セル５４の長さである。
【００６４】
図面及び明細書では理解を助けるために中間領域に位置した放電セルの一部のみを示して説明したが、本発明によるプラズマディスプレイパネルは、図示の場所より中間領域内側では放電セルから出る熱がさらに多くなることがあって、中間領域８に位置する放電セル５４の面積が表示領域６に隣接する放電セル５４から非表示領域１０に隣接する放電セル５４に向かうほど漸進的に大きくなってもよい。
【００６５】
本実施形態では中間領域８に位置した放電セル５４の面積が表示領域６に隣接した部分から非表示領域１０に隣接した部分に向かうほど漸進的に大きくなることによって、表示領域６と非表示領域１０との間の激しい温度変化を緩和する役割を果たすことができて、その結果、表示領域６及び非表示領域１０で発生し得る激しい温度差を抑制することができる。
【００６６】
図６は本発明の第４実施形態によるプラズマディスプレイパネルの表示領域と中間領域を示した部分平面図である。
【００６７】
本実施形態によるプラズマディスプレイパネルでは各放電セル１８、２０の面積に対して前記各放電セル１８、２０に対応する表示電極２８、３４の面積比率が、表示領域６より中間領域８においてさらに小さく形成される。この時、中間領域８は前記表示領域６及び前記表示電極と平行な方向（図面のｘ軸方向）に隣接する第１中間領域８ａと、前記表示領域６と前記表示電極に交差する方向（図面のｙ軸方向）に隣接する第２中間領域８ｂを含む。
【００６８】
そして、図６を参照すれば、本実施形態ではアドレス電極１２が表示領域６と第１中間領域８ａ及び第２中間領域８ｂに形成される。第１及び第２中間領域８ａ、８ｂに形成されるアドレス電極１２は、第１及び第２中間領域８ａ、８ｂ内の電場の状態を変化させて第１及び第２中間領域８ａ、８ｂ内に位置した放電セル２０の放電開始電圧を高めることができる。つまり、本実施形態では中間領域８にアドレス電極１２を形成することによって中間領域８における誤放電を防止することができる。
【００６９】
図７は本発明の第５実施形態によるプラズマディスプレイパネルにおいて表示領域上の放電セルを示した部分分解斜視図であり、図８は本発明の第５実施形態によるプラズマディスプレイパネルにおいて表示領域と中間領域上の放電セルを示した部分平面図である。
【００７０】
本実施形態では背面基板２と前面基板４との間に放電セル６０、６２と非放電領域６４が隣接して備えられプラズマディスプレイパネルを構成する。ここで、放電セル６０、６２は内部でガス放電及び発光が起こるように予定された空間であり、非放電領域６４はガス放電及び発光が予定されていない領域または空間を意味する。
【００７１】
図面を参考にすれば、それぞれの放電セル６０、６２は維持放電時にプラズマ放電の拡散形態を考慮して最適化された形状で構成される。放電セル６０、６２の最適化された構造は、それぞれの放電セル６０、６２で実質的に維持放電と輝度向上に寄与する程度の小さい部分を最少化した形状であって、具体的には各放電セル６０、６２でアドレス電極１２の長手方向（図面のｙ軸方向）に沿って位置する両側端部の幅が放電セル６０、６２の中心から遠くなるほど狭くなる形状を意味する。
【００７２】
つまり、図７を参考にする時放電セル６０、６２の中心部における幅（Ｗｃ）は、端部における幅（Ｗｅ）より大きく構成され、端部における幅（Ｗｅ）は放電セル６０、６２の中心から遠くなるほど狭くなる特性を示す。その結果、放電セル６０、６２の両側端部は梯子形を示し、各放電セル６０、６２の全体的な平面形状は八角形をなす。
【００７３】
この時、隔壁６６はアドレス電極１２と平行な第１隔壁部材６６ａと、第１隔壁部材６６ａと所定の傾斜角をなして交差するように形成される第２隔壁部材６６ｂからなり、第２隔壁部材６６ｂがアドレス電極１２の方向に沿って位置する放電セルの間で実質的にＸ字型に構成される。ここで、実質的にＸ字型とは、図７又は図８のように菱形の非放電領域が縦横線上で隣接して形成する斜辺と若干の縦横線の組合せであって、縦横線の長さが斜辺の長さより短い図形を言う。
【００７４】
そして各放電セル６０、６２の中心を通る仮想の水平軸（Ｈ）と垂直軸（Ｖ）を設定した時、この水平軸（Ｈ）と垂直軸（Ｖ）によって囲まれた領域内に非放電領域６４が位置する。非放電領域６４は隣接した放電セル６０、６２から出る熱を吸収してプラズマディスプレイパネルの放熱特性を高める役割を果たす。
【００７５】
本実施形態で突出電極６８ａ、７０ａ、７２ａ、７４ａは、バス電極６８ｂ、７０ｂ、７２ｂ、７４ｂと連結される後端部がバス電極６８ｂ、７０ｂ、７２ｂ、７４ｂに向かって幅が狭くなる形状で構成され、突出電極６８ａ、７０ａ、７２ａ、７４ａの後端部が放電セル６０、６２形状に対応するようにする。また、一対の突出電極６８ａ、７０ａ、７２ａ、７４ａは互いに対向する対向面の中心に凹部７６を形成する。その結果、突出電極６８ａ、７０ａ、７２ａ、７４ａは放電セル６０、６２の周辺部でショートギャップ（短間隙、Ｇ１）を介在して位置し、放電セル６０、６２の中心部でロングギャップ（長間隙、Ｇ２）を介在して位置する。
【００７６】
前記凹部７６の形状は維持放電時に放電セル６０、６２の周辺部に対応するショートギャップ（Ｇ１）からプラズマ放電が最も先に始まって周囲に拡散し、放電セル６０、６２の中心部に対応するロングギャップ（Ｇ２）からプラズマ放電が始まって周囲に拡散するようにすることによって、放電セル６０、６２内のより広い領域に亘って強い初期放電を起こす役割を果たす。その結果、凹部７６を形成したプラズマディスプレイパネルは放電効率を高めながら駆動電圧を下げることができる。
【００７７】
突出電極６８ａ、７０ａ、７２ａ、７４ａが前記形状からなる時、本実施形態のプラズマディスプレイパネルは中間領域８上の各放電セル６２に位置する突出電極７２ａ、７４ａの面積が表示領域６上の各放電セル６０に位置する突出電極６８ａ、７０ａの面積より小さく形成される。
【００７８】
前記条件を満足するための一つの実施形態として、表示領域６上の各放電セル６０でバス電極６８ｂ、７０ｂと連結される突出電極６８ａ、７０ａの後端部の幅をｐ３とし、中間領域８上の各放電セル６２でバス電極７２ｂ、７４ｂと連結される突出電極７２ａ、７４ａの後端部の幅をｐ４とする時、突出電極６８ａ、７０ａ、７２ａ、７４ａはｐ３＞ｐ４の条件を満足するように形成されても良い。
【００７９】
前記条件を満足する他の実施形態として、表示領域６上の各放電セル６０で一対の突出電極６８ａ、７０ａが互いに対向する対向面の幅をｐ５とし、中間領域８上の各放電セル６２で一対の突出電極７２ａ、７４ａが互いに対向する対向面の幅をｐ６とする時、突出電極６８ａ、７０ａ、７２ａ、７４ａがｐ５＞ｐ６の条件を満足するように形成されても良い。
【００８０】
以上、本発明の好ましい実施形態について説明したが、本発明はこれに限定されるものではなく、特許請求の範囲と発明の詳細な説明及び添付した図面の範囲内で多様に変形して実施することが可能であり、これもまた本発明の範囲に属する。
【図面の簡単な説明】
【００８１】
【図１】本発明の第１実施形態によるプラズマディスプレイパネルを概略的に示した平面図である。
【図２】本発明の第１実施形態によるプラズマディスプレイパネルにおいて表示領域上の放電セルを示した部分分解斜視図である。
【図３】本発明の第１実施形態によるプラズマディスプレイパネルにおいて表示領域と中間領域上の放電セルを示した部分平面図である。
【図４】本発明の第２実施形態によるプラズマディスプレイパネルにおいて表示領域と中間領域上の放電セルを示した部分平面図である。
【図５】本発明の第３実施形態によるプラズマディスプレイパネルにおいて表示領域と中間領域上の放電セルを示した部分平面図である。
【図６】本発明の第４実施形態によるプラズマディスプレイパネルにおいて表示領域と中間領域上の放電セルを示した部分平面図である。
【図７】本発明の第５実施形態によるプラズマディスプレイパネルにおいて表示領域上の放電セルを示した部分分解斜視図である。
【図８】本発明の第５実施形態によるプラズマディスプレイパネルにおいて表示領域と中間領域上の放電セルを示した部分平面図である。
【符号の説明】
【００８２】
２  背面基板
４  前面基板
６  表示領域
８  中間領域
８ａ、８ｂ  第１，２中間領域
１０  非表示領域
１２  アドレス電極
１４  誘電層
１６、６６  隔壁
１６ａ、１６ｂ  第１、第２隔壁部材
１８、２０、５２、５４、６０、６２  放電セル
２２  蛍光体層
２４、３０、４０、４６  走査電極
２４ａ、２６ａ、３０ａ、３２ａ  突出電極
２４ｂ、２６ｂ、３０ｂ、３２ｂ、４０ｂ、４２ｂ、４６ｂ、４８ｂ  バス電極
２６、３２，４２，４８  維持電極
２８、３４，４４，５０  表示電極
３６  誘電層
３８  保護膜
４０ａ、４２ａ、４６ａ、４８ａ  拡大電極
６４  非放電領域
６６ａ、６６ｂ  第１、２隔壁部材
６８ａ、７０ａ、７２ａ、７４ａ  突出電極
６８ｂ、７０ｂ、７２ｂ、７４ｂ  バス電極
７６  凹部
Ｗｃ  放電セルの中心部における幅
Ｗｅ  端部における幅
【図１】
2005310788.tif 000003
【図２】
2005310788.tif 000004
【図３】
2005310788.tif 000005
【図４】
2005310788.tif 000006
【図５】
2005310788.tif 000007
【図６】
2005310788.tif 000008
【図７】
2005310788.tif 000009
【図８】
2005310788.tif 000010